(57)【要約】【課題】加工速度が高い条件から低い条件まで良好な潤滑性を有し、被加工材の表面損傷を十分に防止することが可能な金属加工油組成物を提供すること。【解決手段】粘度指数が７０以上１１５以下、硫黄分が１００質量ｐｐｍ以上２０００質量ｐｐｍ以下の鉱油である基油と、エステル、アルコール及びリン化合物から選ばれる少なくとも１種と、を含有する金属加工油組成物。【選択図】なし【特許請求の範囲】
【請求項１】
粘度指数が７０以上１１５以下、硫黄分が１００質量ｐｐｍ以上２０００質量ｐｐｍ以下の鉱油である基油と、
エステル、アルコール及びリン化合物から選ばれる少なくとも１種と、
を含有する金属加工油組成物。
【請求項２】
ステンレス鋼、銅、チタン、ニッケル、およびそれらを主成分とした合金から選ばれる少なくとも１種を含有する被加工材の金属加工に用いられる、請求項１に記載の金属加工油組成物。
【請求項３】
前記金属加工が塑性加工である、請求項２に記載の金属加工油組成物。
【請求項４】
前記金属加工が冷間圧延である、請求項２又は３に記載の金属加工油組成物。
【発明の詳細な説明】
【技術分野】
【０００１】
本発明は、金属加工油組成物に関する。詳しくは、圧延加工（熱間圧延及び冷間圧延を含む）、絞り加工、しごき加工、引き抜き加工、プレス加工、鍛造加工（熱間鍛造を含む）、切削・研削加工、などの金属加工に好ましく用いられる金属加工油組成物に関し、特に冷間圧延加工に好適な金属加工油組成物に関する。
【背景技術】
【０００２】
潤滑油の基油は米国石油協会（ＡＰＩ）が定める分類が適応されることが多い。この分類では、基油中の硫黄分、飽和分、粘度指数がパラメータとして用いられ、鉱油系の基油はグループ１から５に区分けされている。これらの中で、グループ３基油は、水素化分解で高度に精製された高粘度指数基油であり、グループ４基油は高粘度指数のポリα−オレフィンであり、低燃費性能を有するエンジンオイルなどには欠かせないものである。グループ３、４基油の粘度指数は１２０以上であり、粘度指数が高いということは潤滑油が使用される温度が変わっても潤滑油の動粘度が変化しにくいことを意味する。エンジン油をはじめ、潤滑油はその機械、装置における最も過酷な条件でも潤滑が上手くいくよう設計される。エンジン油でいうならば、高速で走行している際の高温となる条件で問題が生じないよう設計される。ただし、低速で走行するような比較的穏やかな状態では粘度が高くなりすぎ、抵抗が増大して燃費を悪化させてしまう。高粘度指数基油は、高速という厳しい条件で良好な特性を示すように粘度を調整しても、低速時の粘度が高くなりすぎないため、優れた省燃費効果を有する。
【０００３】
金属加工油の場合も同様であり、加工速度が高く発熱量が多くなるような条件で問題が生じないような粘度を確保することが最も重要であると考えられている。一方で、過度に粘度を高くすると粘性抵抗が大きくなり加工性が悪くなるため、グループ３基油のような高粘度指数の基油が求められ、広く使用されている。また、グループ３基油は、通常、硫黄分が少ないため臭気が低く、開放状態で実施される金属加工では作業環境が良好となる、といったメリットもある。
【先行技術文献】
【特許文献】
【０００４】
【特許文献１】特開２００８−０１３６８２号公報
【発明の概要】
【発明が解決しようとする課題】
【０００５】
しかし、本発明者らの知見によれば、金属加工油の分野では、グループ３基油が普及したことによって新たな問題が生じている。すなわち、金属加工は、様々な条件で多様な材料を用いて行われるが、ステンレス、銅、チタンあるいはニッケルなどの比較的硬質な材料を用いる場合、表面損傷が起こりやすい。この表面損傷は、従来低負荷であると考えられていた加工速度が低い条件で、特に顕著である。
【０００６】
ここで、潤滑している部分の油膜厚さは、一般的に潤滑油の粘度と加工速度の積に比例し、荷重に反比例する。加工速度が低くなると、摩擦が減少して温度が下がるので、油膜は厚くなるように思われるが、速度が低くなることによる影響の方が大きければ油膜は更に薄くなる。また、油膜が薄くなることによって摩擦係数が上昇するため、加工のための更なる荷重が必要となり、結果として更に油膜は薄くなる、という悪循環に陥る場合がある。その結果、従来安全とされてきた低速度条件での被加工物の表面損傷といった問題が生じている。
【０００７】
そこで本発明者らは、上記の問題を解消するため検討を行なった。その結果、高速から低速までのいずれの条件でも問題を生じにくい粘度指数の範囲があることがわかり、さらに油剤の臭気に影響を与えない範囲で加工性を向上できる適切な硫黄含有量も存在することが分かった。さらに、粘度指数及び硫黄含有量が特定の範囲内である基油と、特定の添加剤とを組み合わせて用いると、表面損傷の防止効果が向上することも分かった。
【０００８】
本発明は、上記観点からなされたもので、加工速度が高い条件から低い条件まで良好な潤滑性を有し、被加工材の表面損傷を十分に防止することが可能な金属加工油組成物を提供することを目的とするものである。
【課題を解決するための手段】
【０００９】
本発明は、上記の課題を解決するために、粘度指数が７０以上１１５以下、硫黄分が１００質量ｐｐｍ以上２０００質量ｐｐｍ以下の鉱油である基油と、エステル、アルコール及びリン化合物から選ばれる少なくとも１種と、を含有する金属加工油組成物を提供する。
【００１０】
本発明の金属加工油組成物は、ステンレス鋼、銅、チタン、ニッケル、およびそれらを主成分とした合金から選ばれる少なくとも１種を含有する被加工材の金属加工に好ましく用いられる。特に、金属加工が塑性加工、さらには冷間圧延である場合に、本発明の金属加工油組成物は好適である。
【発明の効果】
【００１１】
本発明によれば、加工速度が高い条件から低い条件まで良好な潤滑性を有し、被加工材の表面損傷を十分に防止することが可能な金属加工油を提供することが可能となる。
【発明を実施するための形態】
【００１２】
以下、本発明の好適な実施形態について詳細に説明する。
【００１３】
本発明の実施形態に係る金属加工油組成物は、粘度指数が７０以上１１５以下、硫黄分が１００質量ｐｐｍ以上２０００質量ｐｐｍ以下の鉱油である基油と、エステル、アルコール及びリン化合物から選ばれる少なくとも１種と、を含有する。
【００１４】
鉱油としては、原油を常圧蒸留および減圧蒸留して得られた潤滑油留分に対して、溶剤脱れき、溶剤抽出、水素化分解、溶剤脱ろう、接触脱ろう、水素化精製、硫酸洗浄、白土処理等の１種もしくは２種以上の精製手段を適宜組み合わせて適用して得られるパラフィン系またはナフテン系の鉱油のうち、粘度指数及び硫黄分が上記の範囲内のものを挙げることができる。
【００１５】
鉱油の粘度指数は、７０以上であり、好ましくは７５以上、より好ましくは８０以上、更に好ましくは８５である。また、鉱油の粘度指数は１１５以下であり、好ましくは１１３以下、より好ましくは１１０以下、更に好ましくは１０８以下である。粘度指数が上記下限値未満であると、低速時の加工において油膜が最適値よりも厚くなり、荷重の上昇などの原因となる。また、圧延加工の場合はオイルピットの増加による加工材の表面光沢が低下する。一方、粘度指数が上記上限値を超えると、低速時の加工において油膜の形成が不十分となり、焼き付きなどの問題が生じる。なお、本発明でいう粘度指数とは、ＪＩＳ  Ｋ  ２２８３−１９９３に準拠して測定された粘度指数を意味する。
【００１６】
鉱油の硫黄分は、鉱油全量を基準として、１００ｐｐｍ以上であり、好ましくは２００ｐｐｍ以上、より好ましくは３００ｐｐｍ以上、さらに好ましくは３５０ｐｐｍ以上である。また、鉱油の硫黄分は、鉱油全量を基準として、２０００ｐｐｍ以下であり、好ましくは１７００ｐｐｍ以下、より好ましくは１２００ｐｐｍ以下、更に好ましくは１０００ｐｐｍ以下である。硫黄分が少なすぎると加工性向上効果が不十分となり、多すぎると臭気により作業性に問題が生じる恐れがある。
【００１７】
鉱油の粘度は、特に限定されないが、４０℃における動粘度は、２ｍｍ2／ｓ以上が好ましく、３ｍｍ2／ｓ以上がより好ましく、４ｍｍ2／ｓ以上がさらにより好ましく、５ｍｍ2／ｓ以上が最も好ましい。また、４０℃における動粘度は、５０ｍｍ2／ｓ以下が好ましく、３０ｍｍ2／ｓ以下がより好ましく、２０ｍｍ2／ｓ以下がさらにより好ましく、１０ｍｍ2／ｓ以下が最も好ましい。
【００１８】
鉱油のパラフィン分は、特に限定されないが、鉱油全量を基準として、好ましくは２０質量％以上、より好ましくは３０質量％以上、更に好ましくは３５質量％以上である。また、ナフテン分は、特に限定されないが、鉱油全量を基準として、好ましくは１０質量％以上、より好ましくは１５質量％以上、更に好ましくは２０質量％以上である。また、ナフテン分は、鉱油全量を基準として、好ましくは８０質量％以下、より好ましくは７０質量％以下、更に好ましくは６５質量％以下である。また、芳香族分は、特に限定されないが、鉱油全量を基準として、好ましくは２５質量％以下、より好ましくは２０質量％以下、更に好ましくは１５質量％以下である。
【００１９】
本実施形態に係る金属加工油組成物における基油は、上記の鉱油のみからなるものであってもよいが、油脂、合成油、又はこれらの２種以上を前記鉱油と併用して用いることができる。
【００２０】
油脂としては、牛脂、豚脂、大豆油、菜種油、米ぬか油、ヤシ油、パーム油、パーム核油、あるいはこれらの水素添加物などが挙げられる。
【００２１】
合成油としては、例えば、ポリα−オレフィン（エチレン−プロピレン共重合体、ポリブテン、１−オクテンオリゴマー、１−デセンオリゴマー、およびこれらの水素化物など）、アルキルベンゼン、アルキルナフタレン、モノエステル（ブチルステアレート、オクチルラウレート）、ジエステル（ジトリデシルグルタレート、ジ−２−エチルヘキシルアジペート、ジイソデシルアジペート、ジトリデシルアジペート、ジ−２−エチルヘキシルセパケートなど）、ポリエステル（トリメリット酸エステルなど）、ポリオールエステル（トリメチロールプロパンカプリレート、トリメチロールプロパンペラルゴネート、ペンタエリスリトール−２−エチルヘキサノエート、ペンタエリスリトールペラルゴネートなど）、ポリオキシアルキレングリコール、ポリフェニルエーテル、ジアルキルジフェニルエーテル、リン酸エステル（トリクレジルフォスフェートなど）、含フッ素化合物（パーフルオロポリエーテル、フッ素化ポリオレフィンなど）及びシリコーン油などを挙げることができる。
【００２２】
本実施形態に係る金属加工油組成物は、上記の基油に加えて、エステル、アルコール及びりん系極圧剤から選ばれる少なくとも１種を含有する。これらは潤滑性向上剤としての機能を有する。なお、基油及び潤滑性向上剤としてそれぞれエステル又はリン酸エステルを用いる場合、基油及び潤滑性向上剤としてはそれぞれ異なる種類のものが用いられる。潤滑油向上剤として好ましいエステル及びリン化合物については後述する。
【００２３】
潤滑性向上剤としてのエステルを構成するアルコールは、１価アルコールでも多価アルコールでもよい。また、当該エステルを構成するカルボン酸は一塩基酸でも多塩基酸であってもよい。
【００２４】
１価アルコールとしては、通常炭素数１〜２４のものが用いられ、このようなアルコールとしては直鎖のものでも分岐のものでもよい。炭素数１〜２４のアルコールとしては、具体的には例えば、メタノール、エタノール、直鎖状又は分岐状のプロパノール、直鎖状又は分岐状のブタノール、直鎖状又は分岐状のオクタノール、直鎖状又は分岐状のノナノール、直鎖状又は分岐状のデカノール、直鎖状又は分岐状のウンデカノール、直鎖状又は分岐状のドデカノール、直鎖状又は分岐状のトリデカノール、直鎖状又は分岐状のテトラデカノール、直鎖状又は分岐状のペンタデカノール、直鎖状又は分岐状のヘキサデカノール、直鎖状又は分岐状のヘプタデカノール、直鎖状又は分岐状のオクタデカノール、直鎖状又は分岐状のノナデカノール、直鎖状又は分岐状のエイコサノール、直鎖状又は分岐状のヘンエイコサノール、直鎖状又は分岐状のトリコサノール、直鎖状又は分岐状のテトラコサノール及びこれらの混合物が挙げられる。
【００２５】
また、多価アルコールとしては、通常２〜１０価、好ましくは２〜６価のものが用いられる。２〜１０価多価アルコールとしては、具体的には例えば、エチレングリコール、ジエチレングリコール、ポリエチレングリコール（エチレングリコールの３〜１５量体）、プロピレングリコール、ジプロピレングリコール、ポリプロピレングリコール（プロピレングリコールの３〜１５量体）、１，３−プロパンジオール、１，２−プロパンジオール、１，３−ブタンジオール、１，４−ブタンジオール、２−メチル−１，２−プロパンジオール、２−メチル−１，３−プロパンジオール、１，２−ペンタンジオール、１，３−ペンタンジオール、１，４−ペンタンジオール、１，５−ペンタンジオール、ネオペンチルグリコール等の２価アルコール；グリセリン、ポリグリセリン（グリセリンの２〜８量体、例えばジグリセリン、トリグリセリン、テトラグリセリン）、トリメチロールアルカン（トリメチロールエタン、トリメチロールプロパン、トリメチロールブタンなど）及びこれらの２〜８量体、ペンタエリスリトール及びこれらの２〜４量体、１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール、マンニトールなどの多価アルコール；キシロース、アラビノース、リボース、ラムノース、グルコース、フルクトース、ガラクトース、マンノース、ソルボース、セロビオース、マルトース、イソマルトース、トレハロース、スクロースなどの糖類、及びこれらの混合物が挙げられる。
【００２６】
これらの中でも特に、エチレングリコール、ジエチレングリコール、ポリエチレングリコール（エチレングリコールの３〜１０量体）、プロピレングリコール、ジプロピレングリコール、ポリプロピレングリコール（プロピレングリコールの３〜１０量体）、１，３−プロパンジオール、２−メチル−１，２−プロパンジオール、２−メチル−１，３−プロパンジオール、ネオペンチルグリコール、グリセリン、ジグリセリン、トリグリセリン、トリメチロールアルカン（トリメチロールエタン、トリメチロールプロパン、トリメチロールブタンなど）及びこれらの２〜４量体、ペンタエリスリトール、ジペンタエリスリトール、１，２，４−ブタントリオール、１，３，５−ペンタントリオール、１，２，６−ヘキサントリオール、１，２，３，４−ブタンテトロール、ソルビトール、ソルビタン、ソルビトールグリセリン縮合物、アドニトール、アラビトール、キシリトール、マンニトールなどの２〜６価の多価アルコール及びこれらの混合物等がより好ましい。さらに好ましくは、エチレングリコール、プロピレングリコール、ネオペンチルグリコール、グリセリン、トリメチロールエタン、トリメチロールプロパン、ペンタエリスリトール、ソルビタン、及びこれらの混合物等である。
【００２７】
また、潤滑性向上剤としてのエステルを構成する一塩基酸としては、通常炭素数６〜２４の脂肪酸で、直鎖のものでも分岐のものでも良く、また飽和のものでも不飽和のものでも良い。具体的には例えば、直鎖状又は分岐状のヘキサン酸、直鎖状又は分岐状のオクタン酸、直鎖状又は分岐状のノナン酸、直鎖状又は分岐状のデカン酸、直鎖状又は分岐状のウンデカン酸、直鎖状又は分岐状のドデカン酸、直鎖状又は分岐状のトリデカン酸、直鎖状又は分岐状のテトラデカン酸、直鎖状又は分岐状のペンタデカン酸、直鎖状又は分岐状のヘキサデカン酸、直鎖状又は分岐状のオクタデカン酸、直鎖状又は分岐状のヒドロキシオクタデカン酸、直鎖状又は分岐状のノナデカン酸、直鎖状又は分岐状のエイコサン酸、直鎖状又は分岐状のヘンエイコサン酸、直鎖状又は分岐状のドコサン酸、直鎖状又は分岐状のトリコサン酸、直鎖状又は分岐状のテトラコサン酸などの飽和脂肪酸；直鎖状又は分岐状のヘキセン酸、直鎖状又は分岐状のヘプテン酸、直鎖状又は分岐状のオクテン酸、直鎖状又は分岐状のノネン酸、直鎖状又は分岐状のデセン酸、直鎖状又は分岐状のウンデセン酸、直鎖状又は分岐状のドデセン酸、直鎖状又は分岐状のトリデセン酸、直鎖状又は分岐状のテトラデセン酸、直鎖状又は分岐状のペンタデセン酸、直鎖状又は分岐状のヘキサデセン酸、直鎖状又は分岐状のオクタデセン酸、直鎖状又は分岐状のヒドロキシオクタデセン酸、直鎖状又は分岐状のノナデセン酸、直鎖状又は分岐状のエイコセン酸、直鎖状又は分岐状のヘンエイコセン酸、直鎖状又は分岐状のドコセン酸、直鎖状又は分岐状のトリコセン酸、直鎖状又は分岐状のテトラコセン酸などの不飽和脂肪酸、及びこれらの混合物が挙げられる。これらの中でも、特に炭素数８〜２０の飽和脂肪酸、炭素数８〜２０の不飽和脂肪酸、及びこれらの混合物が好ましい。
【００２８】
潤滑性向上剤としてのエステルを構成する多塩基酸としては、炭素数２〜１６の二塩基酸及びトリメリト酸等が挙げられる。炭素数２〜１６の二塩基酸としては、直鎖のものでも分岐のものでも良く、また飽和のものでも不飽和のものでも良い。具体的には例えば、エタン二酸、プロパン二酸、直鎖状又は分岐状のブタン二酸、直鎖状又は分岐状のペンタン二酸、直鎖状又は分岐状のヘキサン二酸、直鎖状又は分岐状のオクタン二酸、直鎖状又は分岐状のノナン二酸、直鎖状又は分岐状のデカン二酸、直鎖状又は分岐状のウンデカン二酸、直鎖状又は分岐状のドデカン二酸、直鎖状又は分岐状のトリデカン二酸、直鎖状又は分岐状のテトラデカン二酸、直鎖状又は分岐状のヘプタデカン二酸、直鎖状又は分岐状のヘキサデカン二酸；直鎖状又は分岐状のヘキセン二酸、直鎖状又は分岐状のオクテン二酸、直鎖状又は分岐状のノネン二酸、直鎖状又は分岐状のデセン二酸、直鎖状又は分岐状のウンデセン二酸、直鎖状又は分岐状のドデセン二酸、直鎖状又は分岐状のトリデセン二酸、直鎖状又は分岐状のテトラデセン二酸、直鎖状又は分岐状のヘプタデセン二酸、直鎖状又は分岐状のヘキサデセン二酸；及びこれらの混合物が挙げられる。
【００２９】
本実施形態においては、任意のアルコールとカルボン酸の組み合わせによるエステルが使用可能であり、特に限定されるものではない。具体的には、下記（ｉ）〜（ｖｉｉ）に示すエステルを好ましく使用することができる。
（ｉ）一価アルコールと一塩基酸とのエステル
（ｉｉ）多価アルコールと一塩基酸とのエステル
（ｉｉｉ）一価アルコールと多塩基酸とのエステル
（ｉｖ）多価アルコールと多塩基酸とのエステル
（ｖ）一価アルコール及び多価アルコールの混合アルコールと多塩基酸とのエステル
（ｖｉ）多価アルコールと一塩基酸及び多塩基酸の混合カルボン酸とのエステル
（ｖｉｉ）一価アルコール及び多価アルコールの混合アルコールと一塩基酸及び多塩基酸の混合カルボン酸とのエステル。
【００３０】
なお、アルコール成分として多価アルコールを用いた場合、そのエステルは、多価アルコール中の水酸基全てがエステル化された完全エステルであってもよく、また、水酸基の一部がエステル化されず水酸基のままで残っている部分エステルであってもよい。また、カルボン酸成分として多塩基酸を用いた場合、そのエステルは、多塩基酸中のカルボキシル基全てがエステル化された完全エステルでもよく、カルボキシル基の一部がエステル化されずカルボキシル基のままで残っている部分エステルであってもよい。
【００３１】
潤滑性向上剤としてのエステルとしては、上記した何れのものも使用可能であるが、この中でもより加工性に優れる点から、（ｉ）一価アルコールと一塩基酸とのエステルと、（ｉｉｉ）一価アルコールと多塩基酸とのエステルが好ましく、（ｉ）一価アルコールと一塩基酸とのエステルがより好ましく、（ｉ）一価アルコールと一塩基酸とのエステルと（ｉｉｉ）一価アルコールと多塩基酸とのエステルを併用することが最も好ましい。
【００３２】
本実施形態において好ましく用いられる（ｉ）一価アルコールと一塩基酸とのエステルの合計炭素数には特に制限はないが、合計炭素数の下限値が７以上のエステルが好ましく、９以上のエステルがより好ましく、１１以上のエステルが最も好ましい。また、合計炭素数の上限値が２８以下のエステルが好ましく、２６以下のエステルがより好ましく、２４以下のエステルが最も好ましい。前記一価アルコールの炭素数には特に制限はないが、炭素数１〜１０が好ましく、炭素数１〜８がより好ましく、炭素数１〜６がさらにより好ましく、炭素数１〜４が最も好ましい。前記一塩基酸の炭素数には特に制限はないが、炭素数６〜２２が好ましく、炭素数８〜２０がより好ましく、炭素数１０〜１８が最も好ましい。なお、前記合計炭素数、前記アルコールの炭素数及び前記一塩基酸の炭素数のそれぞれが前記上限値を超えると、ステインや腐食の発生を増大させるおそれが大きくなる、冬季において流動性を失い扱いが困難になるおそれが大きくなる、あるいは潤滑油基油への溶解性が低下して析出するおそれが大きくなるなどの傾向がある。また、前記合計炭素数、前記アルコールの炭素数及び前記一塩基酸の炭素数のそれぞれが下限値未満であると、潤滑性が不十分となる傾向にあり、また、臭気により作業環境が悪化するおそれがある。
【００３３】
本実施形態において好ましく用いられる（ｉｉｉ）一価アルコールと多塩基酸とのエステルの形態は特に制限されないが、下記一般式（１）で表されるジエステル、又はトリメリット酸のエステルであることが好ましい。
Ｒ１−Ｏ−ＣＯ−（ＣＨ２）ｎ−ＣＯ−Ｏ−Ｒ２    （１）
［式中、Ｒ１及びＲ２は同一でも異なっていてもよく、それぞれ炭化水素基を示し、ｎは４〜８の整数を示す。］
【００３４】
一般式（１）中のＲ１及びＲ２はそれぞれ炭化水素基を示すが、かかる炭化水素基の炭素数は３〜１０であることが好ましい。なお、炭化水素基の炭素数が３未満であると、潤滑性の向上効果が期待できなくなるおそれがあり、また、臭気により作業環境が悪化するおそれがある。また、炭化水素基の炭素数が１０を超えると、ステインや腐食の発生を増大させるおそれが大きくなる、冬季において流動性を失い扱いが困難になるおそれが大きくなる、潤滑油基油への溶解性が低下して析出するおそれが大きくなるなどの傾向がある。
【００３５】
一般式（１）中のＲ１及びＲ２で示される炭化水素基としては、アルキル基、アルケニル基、アルキルシクロアルキル基、アルキルフェニル基、フェニルアルキル基等が挙げられ、特にアルキル基が好ましい。
【００３６】
Ｒ１、Ｒ２がアルキル基である場合、当該アルキル基は直鎖アルキル基又は分岐アルキル基のいずれであってもよく、また、同一分子中に直鎖アルキル基と分岐アルキル基が混在していてもよいが、分岐アルキル基が好ましい。
【００３７】
Ｒ１及びＲ２で示されるアルキル基としては、具体的には例えば、直鎖又は分岐のプロピル基、直鎖又は分岐のブチル基、直鎖又は分岐のペンチル基、直鎖又は分岐のヘキシル基、直鎖又は分岐のヘプチル基、直鎖又は分岐のオクチル基、直鎖又は分岐のノニル基、直鎖又は分岐のデシル基等を挙げることができる。
【００３８】
また、一般式（１）中のｎは４〜８の整数を示す。なお、ｎが８を超えると、ステインや腐食の発生を増大させるおそれが大きくなる、冬季において流動性を失い扱いが困難になるおそれが大きくなる、潤滑油基油への溶解性が低下して析出するおそれが大きくなるなどの傾向がある。また、ｎが４未満であると、潤滑性の向上効果が期待できなくなるおそれがある、臭気により作業環境が悪化するなどの傾向がある。更に、原料の入手のしやすさ、及び価格の点からｎが４又は６であるジエステルが特に好ましい。
【００３９】
上記一般式（１）で表されるジエステルは任意の方法で得られるが、例えば炭素数６〜１０（炭素数６から順に、アジピン酸、ピメリン酸、コルク酸、アゼライン酸、セバシン酸）の直鎖飽和ジカルボン酸又はその誘導体と炭素数３〜１０のアルコールとをエステル化させる方法などが例示される。
【００４０】
また、エステルがトリメリット酸と１価アルコールとのエステルである場合、当該１価アルコールの炭素数は特に制限はないが、炭素数１〜１０が好ましく、炭素数１〜８がより好ましく、炭素数１〜６がさらに好ましく、炭素数１〜４が最も好ましい。なお、１価アルコールの炭素数が１０を超えると、ステインや腐食の発生を増大させるおそれが大きくなる、冬季において流動性を失い扱いが困難になるおそれが大きくなる、潤滑油基油への溶解性が低下して析出するおそれが大きくなるなどの傾向がある。トリメリット酸のエステルは、部分エステル（モノエステル又はジエステル）でも完全エステル（トリエステル）でもよい。
【００４１】
潤滑性向上剤として用いられるエステルの特に好ましい例としては、具体的には、ラウリン酸メチル、ラウリン酸ブチル、ステアリン酸メチル、ステアリン酸ブチル、オレイン酸メチル、オレイン酸ブチル、並びにアジピン酸と炭素数４〜１０のアルコールとのジエステルが挙げられる。
【００４２】
また、潤滑性向上剤として用いられるアルコールとしては、上記エステルの説明において例示された１価アルコール及び多価アルコールが挙げられ、中でも１価アルコール及び２価アルコールが好ましく、１価アルコールを単独で用いるか、あるいは１価アルコールと２価アルコールとを併用することがより好ましい。また、２価アルコールとしては、分子内にエーテル結合を有するものが好ましい。
【００４３】
１価アルコール及び２価アルコールの炭素数は、好ましくは６以上、より好ましくは７以上、更に好ましくは８以上、特に好ましくは９以上である。なお、１価アルコール及び２価アルコールの炭素数が６未満であると、潤滑性が不十分となる傾向にあり、また、臭気により作業環境が悪化するおそれがある。また、１価アルコール及び２価アルコールの炭素数は、好ましくは２０以下、より好ましくは１８以下である。アルコールは直鎖であっても分岐であっても良く、飽和でも不飽和でもよい。なお、１価アルコール及び２価アルコールの炭素数が２０を超えると、ステインや腐食の発生を増大させるおそれが大きくなる、冬季において流動性を失い扱いが困難になるおそれが大きくなる、潤滑油基油への溶解性が低下して析出するおそれが大きくなるなどの傾向がある。
【００４４】
潤滑性向上剤として用いられるアルコールの特に好ましい例としては、具体的には、ラウリルアルコール、ミリスチルアルコール、パルミチルアルコール、オレイルアルコール、分岐で飽和のC１２からC16のアルコール。エチレングリコールの５〜９量体、プロピレングリコールの２〜６量体、並びにこれらの２種以上の混合物が挙げられる。
【００４５】
潤滑性向上剤として上記のエステル、アルコールの含有量は、組成物全量基準で２〜５０質量％であることが好ましい。すなわち、当該含有量は、潤滑性向上効果の点から、好ましく３質量％以上であり、より好ましくは５質量％以上である。また、含有量が多過ぎるとステインや腐食の発生を増大させる可能性がある等の点から、当該含有量は、好ましくは４５質量％以下であり、より好ましくは４０質量％以下である。
【００４６】
また、潤滑性向上剤として用いられるリン化合物としては、具体的には例えば、リン酸エステル、酸性リン酸エステル、酸性リン酸エステルのアミン塩、塩素化リン酸エステル、亜リン酸エステル及びフォスフォロチオネート、下記一般式（２）又は（３）で表されるリン化合物の金属塩等が挙げられる。これらのリン化合物は、リン酸、亜リン酸又はチオリン酸とアルカノール、ポリエーテル型アルコールとのエステルあるいはその誘導体が挙げられる。
【００４７】
【化１】
2014070082.tif 000002
［式（２）中、Ｘ１、Ｘ２及びＸ３は同一でも異なっていてもよく、それぞれ酸素原子又は硫黄原子を表し、Ｘ１、Ｘ２又はＸ３の少なくとも２つは酸素原子であり、Ｒ３、Ｒ４、及びＲ５は同一でも異なっていてもよく、それぞれ水素原子又は炭素数１〜３０の炭化水素基を表す。］
【００４８】
【化２】
2014070082.tif 000003
［式（２）中、Ｘ４、Ｘ５、Ｘ６及びＸ７は同一でも異なっていてもよく、それぞれ酸素原子又は硫黄原子を表し、Ｘ４、Ｘ５、Ｘ６又はＸ７の少なくとも３つは酸素原子であり、Ｒ６、Ｒ７及びＲ８は同一でも異なっていてもよく、それぞれ水素原子又は炭素数１〜３０の炭化水素基を表す。］
【００４９】
より具体的には、リン酸エステルとしては、トリブチルホスフェート、トリペンチルホスフェート、トリヘキシルホスフェート、トリヘプチルホスフェート、トリオクチルホスフェート、トリノニルホスフェート、トリデシルホスフェート、トリウンデシルホスフェート、トリドデシルホスフェート、トリトリデシルホスフェート、トリテトラデシルホスフェート、トリペンタデシルホスフェート、トリヘキサデシルホスフェート、トリヘプタデシルホスフェート、トリオクタデシルホスフェート、トリオレイルホスフェート、トリフェニルホスフェート、トリクレジルホスフェート、トリキシレニルホスフェート、クレジルジフェニルホスフェート、キシレニルジフェニルホスフェート等；
酸性リン酸エステルとしては、モノブチルアシッドホスフェート、モノペンチルアシッドホスフェート、モノヘキシルアシッドホスフェート、モノヘプチルアシッドホスフェート、モノオクチルアシッドホスフェート、モノノニルアシッドホスフェート、モノデシルアシッドホスフェート、モノウンデシルアシッドホスフェート、モノドデシルアシッドホスフェート、モノトリデシルアシッドホスフェート、モノテトラデシルアシッドホスフェート、モノペンタデシルアシッドホスフェート、モノヘキサデシルアシッドホスフェート、モノヘプタデシルアシッドホスフェート、モノオクタデシルアシッドホスフェート、モノオレイルアシッドホスフェート、ジブチルアシッドホスフェート、ジペンチルアシッドホスフェート、ジヘキシルアシッドホスフェート、ジヘプチルアシッドホスフェート、ジオクチルアシッドホスフェート、ジノニルアシッドホスフェート、ジデシルアシッドホスフェート、ジウンデシルアシッドホスフェート、ジドデシルアシッドホスフェート、ジトリデシルアシッドホスフェート、ジテトラデシルアシッドホスフェート、ジペンタデシルアシッドホスフェート、ジヘキサデシルアシッドホスフェート、ジヘプタデシルアシッドホスフェート、ジオクタデシルアシッドホスフェート、ジオレイルアシッドホスフェート等；
酸性リン酸エステルのアミン塩としては、前記酸性リン酸エステルのメチルアミン、エチルアミン、プロピルアミン、ブチルアミン、ペンチルアミン、ヘキシルアミン、ヘプチルアミン、オクチルアミン、ジメチルアミン、ジエチルアミン、ジプロピルアミン、ジブチルアミン、ジペンチルアミン、ジヘキシルアミン、ジヘプチルアミン、ジオクチルアミン、トリメチルアミン、トリエチルアミン、トリプロピルアミン、トリブチルアミン、トリペンチルアミン、トリヘキシルアミン、トリヘプチルアミン、トリオクチルアミン等のアミンとの塩等；
塩素化リン酸エステルとしては、トリス・ジクロロプロピルホスフェート、トリス・クロロエチルホスフェート、トリス・クロロフェニルホスフェート、ポリオキシアルキレン・ビス［ジ（クロロアルキル）］ホスフェート等；
亜リン酸エステルとしては、ジブチルホスファイト、ジペンチルホスファイト、ジヘキシルホスファイト、ジヘプチルホスファイト、ジオクチルホスファイト、ジノニルホスファイト、ジデシルホスファイト、ジウンデシルホスファイト、ジドデシルホスファイト、ジオレイルホスファイト、ジフェニルホスファイト、ジクレジルホスファイト、トリブチルホスファイト、トリペンチルホスファイト、トリヘキシルホスファイト、トリヘプチルホスファイト、トリオクチルホスファイト、トリノニルホスファイト、トリデシルホスファイト、トリウンデシルホスファイト、トリドデシルホスファイト、トリオレイルホスファイト、トリフェニルホスファイト、トリクレジルホスファイト等；
フォスフォロチオネートとしては、トリブチルフォスフォロチオネート、トリペンチルフォスフォロチオネート、トリヘキシルフォスフォロチオネート、トリヘプチルフォスフォロチオネート、トリオクチルフォスフォロチオネート、トリノニルフォスフォロチオネート、トリデシルフォスフォロチオネート、トリウンデシルフォスフォロチオネート、トリドデシルフォスフォロチオネート、トリトリデシルフォスフォロチオネート、トリテトラデシルフォスフォロチオネート、トリペンタデシルフォスフォロチオネート、トリヘキサデシルフォスフォロチオネート、トリヘプタデシルフォスフォロチオネート、トリオクタデシルフォスフォロチオネート、トリオレイルフォスフォロチオネート、トリフェニルフォスフォロチオネート、トリクレジルフォスフォロチオネート、トリキシレニルフォスフォロチオネート、クレジルジフェニルフォスフォロチオネート、キシレニルジフェニルフォスフォロチオネート、トリス（ｎ−プロピルフェニル）フォスフォロチオネート、トリス（イソプロピルフェニル）フォスフォロチオネート、トリス（ｎ−ブチルフェニル）フォスフォロチオネート、トリス（イソブチルフェニル）フォスフォロチオネート、トリス（ｓ−ブチルフェニル）フォスフォロチオネート、トリス（ｔ−ブチルフェニル）フォスフォロチオネート等、
が挙げられる。
【００５０】
また、上記一般式（２）又は（３）で表されるリン化合物の金属塩に関し、式中のＲ３１〜Ｒ７で表される炭素数１〜３０の炭化水素基としては、具体的には、アルキル基、シクロアルキル基、アルケニル基、アルキルシクロアルキル基、アリール基、アルキルアリール基、アリールアルキル基等が挙げられる。
【００５１】
上記アルキル基としては、例えばメチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基等のアルキル基（これらアルキル基は直鎖状でも分枝状でもよい）が挙げられる。
【００５２】
上記シクロアルキル基としては、例えば、シクロペンチル基、シクロヘキシル基、シクロヘプチル基等の炭素数５〜７のシクロアルキル基を挙げることができる。また上記アルキルシクロアルキル基としては、例えば、メチルシクロペンチル基、ジメチルシクロペンチル基、メチルエチルシクロペンチル基、ジエチルシクロペンチル基、メチルシクロヘキシル基、ジメチルシクロヘキシル基、メチルエチルシクロヘキシル基、ジエチルシクロヘキシル基、メチルシクロヘプチル基、ジメチルシクロヘプチル基、メチルエチルシクロヘプチル基、ジエチルシクロヘプチル基等の炭素数６〜１１のアルキルシクロアルキル基（アルキル基のシクロアルキル基への置換位置も任意である）が挙げられる。
【００５３】
上記アルケニル基としては、例えば、ブテニル基、ペンテニル基、ヘキセニル基、ヘプテニル基、オクテニル基、ノネニル基、デセニル基、ウンデセニル基、ドデセニル基、トリデセニル基、テトラデセニル基、ペンタデセニル基、ヘキサデセニル基、ヘプタデセニル基、オクタデセニル基等のアルケニル基（これらアルケニル基は直鎖状でも分枝状でもよく、また二重結合の位置も任意である）が挙げられる。
【００５４】
上記アリール基としては、例えば、フェニル基、ナフチル基等のアリール基を挙げることができる。また上記アルキルアリール基としては、例えば、トリル基、キシリル基、エチルフェニル基、プロピルフェニル基、ブチルフェニル基、ペンチルフェニル基、ヘキシルフェニル基、ヘプチルフェニル基、オクチルフェニル基、ノニルフェニル基、デシルフェニル基、ウンデシルフェニル基、ドデシルフェニル基等の炭素数７〜１８のアルキルアリール基（アルキル基は直鎖状でも分枝状でもよく、またアリール基への置換位置も任意である）が挙げられる。
【００５５】
上記アリールアルキル基としては、例えばベンジル基、フェニルエチル基、フェニルプロピル基、フェニルブチル基、フェニルペンチル基、フェニルヘキシル基等の炭素数７〜１２のアリールアルキル基（これらアルキル基は直鎖状でも分枝状でもよい）が挙げられる。
【００５６】
Ｒ３〜Ｒ８で表される炭素数１〜３０の炭化水素基は、炭素数１〜３０のアルキル基又は炭素数６〜２４のアリール基であることが好ましく、更に好ましくは炭素数３〜１８のアルキル基、更に好ましくは炭素数４〜１２のアルキル基である。
【００５７】
Ｒ３、Ｒ４及びＲ５は同一でも異なっていてもよく、それぞれ水素原子又は上記炭化水素基を表すが、Ｒ３、Ｒ４及びＲ５のうち、１〜３個が上記炭化水素基であることが好ましく、１〜２個が上記炭化水素基であることがより好ましく、２個が上記炭化水素基であることがさらに好ましい。
【００５８】
また、Ｒ６、Ｒ７及びＲ８は同一でも異なっていてもよく、それぞれ水素原子又は上記炭化水素基を表すが、Ｒ６、Ｒ７及びＲ８のうち、１〜３個が上記炭化水素基であることが好ましく、１〜２個が上記炭化水素基であることがより好ましく、２個が上記炭化水素基であることがさらに好ましい。
【００５９】
一般式（２）で表されるリン化合物において、Ｘ１〜Ｘ３のうちの少なくとも２つは酸素原子であることが必要であるが、Ｘ１〜Ｘ３の全てが酸素原子であることが好ましい。
【００６０】
また、一般式（３）で表されるリン化合物において、Ｘ４〜Ｘ７のうちの少なくとも３つは酸素原子であることが必要であるが、Ｘ４〜Ｘ７の全てが酸素原子であることが好ましい。
【００６１】
一般式（２）で表されるリン化合物としては、例えば、亜リン酸、モノチオ亜リン酸；上記炭素数１〜３０の炭化水素基を１つ有する亜リン酸モノエステル、モノチオ亜リン酸モノエステル；上記炭素数１〜３０の炭化水素基を２つ有する亜リン酸ジエステル、モノチオ亜リン酸ジエステル；上記炭素数１〜３０の炭化水素基を３つ有する亜リン酸トリエステル、モノチオ亜リン酸トリエステル；及びこれらの混合物が挙げられる。これらの中でも、亜リン酸モノエステル、亜リン酸ジエステルが好ましく、亜リン酸ジエステルがより好ましい。
【００６２】
また、一般式（３）で表されるリン化合物としては、例えば、リン酸、モノチオリン酸；上記炭素数１〜３０の炭化水素基を１つ有するリン酸モノエステル、モノチオリン酸モノエステル；上記炭素数１〜３０の炭化水素基を２つ有するリン酸ジエステル、モノチオリン酸ジエステル；上記炭素数１〜３０の炭化水素基を３つ有するリン酸トリエステル、モノチオリン酸トリエステル；及びこれらの混合物が挙げられる。これらの中でも、リン酸モノエステル、リン酸ジエステルが好ましく、リン酸ジエステルがより好ましい。
【００６３】
一般式（２）又は（３）で表されるリン化合物の金属塩としては、当該リン化合物の酸性水素の一部又は全部を金属塩基で中和した塩が挙げられる。かかる金属塩基としては、金属酸化物、金属水酸化物、金属炭酸塩、金属塩化物等が挙げられ、その金属としては、具体的には、リチウム、ナトリウム、カリウム、セシウム等のアルカリ金属、カルシウム、マグネシウム、バリウム等のアルカリ土類金属、亜鉛、銅、鉄、鉛、ニッケル、銀、マンガン等の重金属等が挙げられる。これらの中ではカルシウム、マグネシウム等のアルカリ土類金属及び亜鉛が好ましい。
【００６４】
上記リン化合物の金属塩は、金属の価数やリン化合物のＯＨ基あるいはＳＨ基の数に応じその構造が異なり、従ってその構造については何ら限定されないが、例えば、酸化亜鉛１ｍｏｌとリン酸ジエステル（ＯＨ基が１つ）２ｍｏｌを反応させた場合、下記式（４）で表される構造の化合物が主成分として得られると考えられるが、ポリマー化した分子も存在していると考えられる。
【００６５】
【化３】
2014070082.tif 000004
［式（４）中、ＲはＲ１〜Ｒ７と同一の定義内容を示す。］
【００６６】
また、例えば、酸化亜鉛１ｍｏｌとリン酸モノエステル（ＯＨ基が２つ）１ｍｏｌとを反応させた場合、下記式（５）で表される構造の化合物が主成分として得られると考えられるが、ポリマー化した分子も存在していると考えられる。
【００６７】
【化４】
2014070082.tif 000005
［式（５）中、ＲはＲ１〜Ｒ７と同一の定義内容を示す。］
【００６８】
また、これらの２種以上の混合物も使用できる。
【００６９】
本実施形態においては、上記リン化合物の中でも、より高い潤滑性の向上効果が得られることから、リン酸エステル、酸性リン酸エステル、及び酸性リン酸エステルのアミン塩が好ましい。リン及び／又は硫黄を含むものが好ましいが、特にリンを含むものが好ましい。具体的には、トリクレジルホスフェート、トリラウリルホスフェート、トリラウリルホスファイト、トリオレイルホスファイト、ジラウリルホスファイト、ジラウリルハイドロゲンホスファイト、ラウリン酸ホスフェート、が挙げられる。
【００７０】
リン化合物の含有量は任意であるが、潤滑性の向上の点から、金属加工油組成物全量基準で、０．００５質量％以上であることが好ましく、０．０１質量％以上であることがより好ましく、０．０５質量％以上であることがさらにより好ましい。また、異常摩耗の防止の点から、当該含有量は、金属加工油組成物全量基準で、１０質量％以下であることが好ましく、５質量％以下であることがより好ましく、３質量％以下であることがさらにより好ましい。
【００７１】
本実施形態においては、エステル、アルコール、並びにリン化合物のうちの１種を単独で用いてもよく、また、２種以上を組み合わせてもよい。特にリン化合物は、エステル及び／又はアルコールと併用することが好ましい。
【００７２】
本実施形態に係る金属加工組成物は、潤滑性向上剤としてカルボン酸を更に含有していてもよい。カルボン酸としては、一塩基酸でも多塩基酸でも良い。具体的には例えば、上記エステルの説明において例示された一塩基酸及び多塩基酸が挙げられる。これらの中でも、より加工性に優れる点から一塩基酸が好ましい。
【００７３】
潤滑性向上剤として用いられるカルボン酸の炭素数は、より潤滑性向上効果に優れる点から、好ましくは６以上、より好ましくは８以上、更に好ましくは１０以上である。また、ステインや腐食の発生を抑制する点から、カルボン酸の炭素数は、好ましくは２０以下、より好ましくは１８以下、更に好ましくは１６以下である。
【００７４】
潤滑性向上剤として用いられるカルボン酸の特に好ましい例としては、具体的には、ラウリン酸、ミリスチン酸、パルミチン酸及びオレイン酸が挙げられる。
【００７５】
本実施形態に係る金属加工油組成物は、潤滑性向上剤として硫黄を含有する極圧剤（硫黄系極圧剤）を更に含有していてもよい。硫黄系極圧剤としては、ジハイドロカルビルポリサルファイド、硫化エステル、硫化鉱油、ジチオリン酸亜鉛化合物、ジチオカルバミン酸亜鉛化合物、ジチオリン酸モリブデン化合物及びジチオカルバミン酸モリブデンが好ましく用いられる。特にジハイドロカルビルポリサルファイド及び硫化エステルからなる群より選ばれる少なくとも１種を用いると、潤滑性の向上効果が一層高水準で得られるので好ましい。
【００７６】
本実施形態に係る金属加工油組成物は、さらにその優れた効果を向上させるために、必要に応じて、酸化防止剤、さび止め剤、腐食防止剤、消泡剤などを、単独でまたは２種以上組み合わせて更に添加してもよい。
【００７７】
酸化防止剤としては、２，６−ジターシャリーブチル−ｐ−クレゾール（ＤＢＰＣ）等のフェノール系化合物、フェニル−α−ナフチルアミンなどの芳香族アミン、およびジアルキルジチオリン酸亜鉛等の有機金属化合物が例示できる。
【００７８】
さび止め剤としては、オレイン酸などの脂肪酸の塩、ジノニルナフタレンスルホネートなどのスルホン酸塩、ソルビタンモノオレエートなどの多価アルコールの部分エステル、アミンおよびその誘導体、リン酸エステルおよびその誘導体が例示できる。
【００７９】
腐食防止剤としては、ベンゾトリアゾールなどが挙げられる。
【００８０】
消泡剤としては、シリコーン系のものなどが挙げられる。
【００８１】
これらの添加剤の合計含有量は、通常１５質量％以下、好ましくは１０質量％以下（いずれも金属加工油組成物全量基準）であることが望ましい。
【００８２】
また、本実施形態に係る金属加工油組成物は、水を更に含有してもよい。この場合、本実施形態に係る金属加工油組成物は、水を連続層とし、当該連続層に油成分が微細に分散してエマルションを形成した乳化状態；水が油成分に溶解している可溶化状態；あるいは強撹拌により水と油成分とを混合した懸濁状態のいずれで使用してもよい。
【００８３】
本実施形態に係る金属加工油組成物が水を含有する場合、水としては、水道水、工業用水、イオン交換水、蒸留水などが使用可能で、硬水であるか軟水であるかを問わない。
【００８４】
本実施形態に係る金属加工油組成物の動粘度は特に限定されないが、４０℃における動粘度の下限は１ｍｍ２／ｓであることが好ましく、２ｍｍ２／ｓであることがより好ましく、３ｍｍ２／ｓであることが最も好ましい。また、４０℃における動粘度の上限は５０ｍｍ２／ｓであることが好ましく３０ｍｍ２／ｓであることがより好ましく、２０ｍｍ２／ｓであることが最も好ましい。
なお、金属加工油組成物の４０℃における動粘度が１ｍｍ２／ｓ未満であると、加工性が不十分となる傾向にある。また、当該動粘度が５０ｍｍ２／ｓを超えると、過潤滑となり加工中に工具のスリップが生じる恐れがあることから好ましくない。
【００８５】
本実施形態に係る金属加工油組成物が使用される金属加工としては、例えば、圧延加工（熱間圧延及び冷間圧延を含む）、絞り加工、しごき加工、引き抜き加工、プレス加工、鍛造加工（熱間鍛造を含む）、切削・研削加工、などが挙げられるが、特に冷間圧延加工に用いるのが好ましい。また、これらの金属加工に用いられる被加工物の材質は特に制限されず、例えば、鉄、ステンレス、アルミニウム又はその合金、ニッケル又はその合金、クロム又はその合金、銅又はその合金、亜鉛又はその合金、チタン又はその合金などが挙げられるが、ステンレス、銅又はその合金、チタン又はその合金、ニッケル又はその合金、およびＪＩＳ  Ｈ  ４０００で規定されるアルミニウムの５０００番台、６０００番台、７０００番台、８０００番台が好ましく、ステンレス、銅又はその合金、チタン又はその合金、ニッケル又はその合金がより好ましい。
【実施例】
【００８６】
以下、実施例および比較例に基づき本発明を更に具体的に説明するが、本発明は以下の実施例に何ら限定されるものではない。
【００８７】
［実施例１〜３８、比較例１〜１７］
実施例１〜３８および比較例１〜１７においては、それぞれ以下に示す基油および添加剤を用いて、表２〜９に示す組成を有する金属加工油組成物を調製した。
【００８８】
［基油］
基油の性状を表１に示す。
【００８９】
【表１】
2014070082.tif 000006
【００９０】
［添加剤］
Ｂ１：ラウリルアルコール
Ｂ２：Ｃ１２〜Ｃ１４分岐アルコール
Ｂ３：ステアリン酸ブチル
Ｂ４：アジピン酸ジイソノニル
Ｂ５：トリクレジルホスフェート  
Ｂ６：ジラウリルハイドロゲンホスファイト
Ｂ７：オレイン酸
Ｂ８：硫化エステル
【００９１】
次に、実施例１〜３８および比較例１〜１７の潤滑油組成物を試料油として用い、以下の評価試験を実施した。用いた試験材は以下のとおりである。
（試験材）
１：ＪＩＳ  ＳＵＳ３０４材（厚さ０．２５ｍｍ、幅５０ｍｍ）
２：ＪＩＳ  ＳＵＳ４３０材（厚さ０．２５ｍｍ、幅５０ｍｍ）
３：純銅（厚さ０．３ｍｍ、幅５０ｍｍ）
４：黄銅（銅７０％、亜鉛３０％）（厚さ０．３ｍｍ、幅５０ｍｍ）
５：純チタン（厚さ０．２３ｍｍ、幅４３ｍｍ）
６：ニッケル合金（ニッケル６０％、鉄４０％）（厚さ０．２７ｍｍ、幅４７ｍｍ）
【００９２】
［加工性］
上記の圧延材料及び試料油を用い、径５１ｍｍのワークロールを用い、圧延速度２５ｍ／ｍｉｎで圧延を行い、圧下率を１０％から徐々に上げて、焼き付きなどの表面損傷が発生し始める圧下率を限界圧下率（％）として測定した。
焼き付きの確認は、目視で判定できないものは光学顕微鏡（４００倍）を用いて、板表面を観察して行った。得られた結果を表２〜９に示す。
【００９３】
［表面品質］
上記の圧延材料及び試料油を用い、圧下率１５％、圧延速度２５ｍ／ｍｉｎ、で圧延した材料の下ロールと接した面を画像解析し、オイルピット占有面積率（％）を計測した。加工性試験条件を、圧下率１５％、圧延速度１０ｍ／ｍｉｎで圧延したものと比較し、オイルピット占有面積率の増加が５％未満のものをＡ、５％以上のものをＢと評価した。得られた結果を表２〜９に示す。
【００９４】
［臭気］
３００ｍｌビーカに試料油を５０ｇ取り３０℃に加温し、１０人の被験者により試料油の臭気の判定を行った。「臭気が気になる」を３点、「臭気がやや気になる」を２点、「臭気がほとんど気にならない」を１点、「臭気が気にならない」を０点とし、１０人分の平均を求め、１点未満をＡ、１点以上をＢと評価した。得られた結果を表２〜９に示す。
【００９５】
【表２】
2014070082.tif 000007
【００９６】
【表３】
2014070082.tif 000008
【００９７】
【表４】
2014070082.tif 000009
【００９８】
【表５】
2014070082.tif 000010
【００９９】
【表６】
2014070082.tif 000011
【０１００】
【表７】
2014070082.tif 000012
【０１０１】
【表８】
2014070082.tif 000013
【０１０２】
【表９】
2014070082.tif 000014